(57)【要約】【課題】電源ＯＦＦを制御するメイン処理回路に異常があっても、電源スイッチを操作するだけで画像形成装置の電源をＯＦＦできるようにする。【解決手段】画像形成装置は、電源スイッチ信号生成部、第１制御信号と第２制御信号を生成する論理回路部、メイン処理回路、サブ処理回路、電源回路部、電源回路部の動作／停止を制御し、入力される第１制御信号と第２制御信号のＨｉｇｈ、Ｌｏｗのレベルの組み合わせが電源ＯＦＦを示す停止組み合わせのとき、電源ＯＦＦ処理を実行する電源制御部を含む。サブ処理回路は、所定の代行条件を満たす状態で電源スイッチによる電源ＯＦＦの指示があったとき、サブ出力信号を電源ＯＦＦ実行レベルに変化させる。論理回路部は、サブ出力信号が電源ＯＦＦ実行レベルに変化したとき、停止組み合わせの第１制御信号と第２制御信号を生成し、電源制御部に入力する。【選択図】図９
2017124558.tif 000002
【特許請求の範囲】
【請求項１】
使用者に操作されるスイッチであって画像形成装置の電源のＯＮ／ＯＦＦを行うためのスイッチである電源スイッチを含み、前記電源スイッチが操作されたときＨｉｇｈレベルとＬｏｗレベルとの間で信号のレベルが変化する電源スイッチ信号を出力する電源スイッチ信号生成部と、
論理回路を含み、第１制御信号と第２制御信号を生成する論理回路部と、
前記電源スイッチ信号が入力され、画像形成装置が電源ＯＮ状態で前記電源スイッチが操作されたとき画像形成装置の電源をＯＦＦするための信号を前記論理回路部に入力するメイン処理回路と、
前記電源スイッチ信号が入力され、前記メイン処理回路と通信を行い、画像形成装置の一部の動作を制御するサブ処理回路と、
前記メイン処理回路、前記サブ処理回路を含む各負荷に供給する電圧を生成し出力する電源回路部と、
前記電源回路部の動作／停止を制御し、入力される前記第１制御信号と前記第２制御信号、それぞれのＨｉｇｈレベルとＬｏｗレベルの組み合わせが、電源ＯＦＦを指示する停止組み合わせのとき、前記電源回路部を停止させて前記負荷への電力供給を停止させる電源ＯＦＦ処理を実行する電源制御部と、を含み、
前記サブ処理回路は、前記メイン処理回路に代わって前記電源ＯＦＦ処理を前記電源制御部に行わせるためのサブ出力信号を前記論理回路部に入力し、前記電源スイッチ信号に基づき電源ＯＦＦの指示がなされたと認識したときであって、予め定められた代行条件が満たされているとき、前記サブ出力信号のレベルを前記電源ＯＦＦ処理の実行を指示するための電源ＯＦＦ実行レベルに変化させ、
前記論理回路部は、前記サブ出力信号が前記電源ＯＦＦ実行レベルに変化したとき、前記停止組み合わせの前記第１制御信号と前記第２制御信号を生成し、前記電源制御部に入力することを特徴とする画像形成装置。
【請求項２】
前記サブ処理回路は、前記メイン処理回路と通信を行い、前記メイン処理回路が異常状態であるか否かを判定し、異常状態であると判定したとき、前記代行条件が満たされたと判定することを特徴とする請求項１に記載の画像形成装置。
【請求項３】
表示を行う表示パネルを含み、
前記メイン処理回路が異常状態であると判定したとき、
前記サブ処理回路は、エラー発生と前記電源スイッチの操作により電源をＯＦＦできる旨のメッセージを前記表示パネルに表示させることを特徴とする請求項２に記載の画像形成装置。
【請求項４】
前記サブ処理回路は、前記電源スイッチ信号に基づき前記電源スイッチを予め定められた時間続けて押す操作がなされたと認識したとき、又は、前記電源スイッチ信号に基づき予め定められた単位時間内に予め定められた回数を超えて前記電源スイッチが操作されたと認識したとき、前記代行条件が満たされたと判定することを特徴とする請求項１又は２に記載の画像形成装置。
【請求項５】
前記電源スイッチ信号生成部は、使用者が前記電源スイッチを操作していない間はＬｏｗレベルであり、前記電源スイッチを操作している間はＨｉｇｈレベルの前記電源スイッチ信号を出力し、
前記メイン処理回路は、前記電源スイッチ信号に基づき電源ＯＦＦの指示がなされたと認識したとき、Ｈｉｇｈレベルの第１メイン出力信号とＬｏｗレベルの第２メイン出力信号を出力し、
前記電源スイッチ信号に基づき電源ＯＦＦの指示がなされたと認識したときであって、予め定められた代行条件が満たされているとき、前記サブ処理回路は、前記サブ出力信号をＬｏｗレベルから前記電源ＯＦＦ実行レベルであるＨｉｇｈレベルに変化させ、
前記論理回路部は、前記第１制御信号を生成する第１制御信号生成部と、前記第２制御信号を生成する第２制御信号生成部を含み、
前記第１制御信号生成部は、前記サブ出力信号と前記第１メイン出力信号の論理和を前記第１制御信号として出力する第１論理和回路を含み、
前記第２制御信号生成部は、前記電源スイッチ信号と前記第２メイン出力信号の論理和を出力する第２論理和回路と、前記サブ出力信号の否定を出力する否定回路と、前記第２論理和回路の出力と前記否定回路の出力の論理積を前記第２制御信号として出力する論理積回路を含み、
前記停止組み合わせは、前記第１制御信号がＨｉｇｈレベル、前記第２制御信号がＬｏｗレベルであることを特徴とする請求項１乃至４の何れか１項に記載の画像形成装置。
【請求項６】
前記第１制御信号がＬｏｗレベル、前記第２制御信号がＨｉｇｈレベルの組み合わせは電源ＯＮを示す開始組み合わせであり、
画像形成装置の電源がＯＦＦの状態で前記電源スイッチが操作されたとき、
前記第１制御信号生成部が、Ｌｏｗレベルの前記第１制御信号を出力し、
前記第２制御信号生成部が、Ｈｉｇｈレベルの前記第２制御信号を出力し、
前記第１制御信号と前記第２制御信号の組み合わせが前記開始組み合わせとなり、
前記開始組み合わせとなったとき、前記電源制御部は、前記電源回路部を動作させて前記負荷への電力供給を行わせる電源ＯＮ処理を実行し、
前記メイン処理回路は、画像形成装置の電源ＯＮ状態では、前記第１メイン出力信号と前記第２メイン出力信号をＨｉｇｈレベルとし、
前記第１制御信号と前記第２制御信号が何れもがＨｉｇｈレベルのとき、及び、前記第１制御信号と前記第２制御信号が何れもがＬｏｗレベルのとき、
前記電源制御部は、前記電源回路部の状態を維持することを特徴とする請求項５に記載の画像形成装置。
【発明の詳細な説明】
【技術分野】
【０００１】
本発明は、画像形成装置の電源ＯＦＦに関する。
【背景技術】
【０００２】
ＰＣのようなコンピューターでは、主電源を切るとき、使用者は、マウスやキーボードのような入力デバイスを操作し、シャットダウンのコマンドを入力する。シャットダウンのコマンドが入力されたとき、コンピューターでは、保存すべきデータの不揮発性の記憶装置への記憶のようなシャットダウン処理がなされる。シャットダウン処理の完了により安全に電源を切ることができる状態になった後、コンピューターの各部分への電力供給が遮断され、コンピューターの主電源ＯＦＦが完了する。そして、コンピューターの電源ＯＦＦの制御技術の一例が特許文献１に記載されている。
【０００３】
具体的に、特許文献１には、コンピューターの電源スイッチのオフやＡＣ入力電源の停電検知のような電源断情報をＣＰＵが受け取ってデータ処理した後にＣＰＵからの命令で電源をオフする自動シャットダウン機能を有する電源装置を内蔵し、電源断情報により直接電源装置をオフする手段を有し、電源断情報をＣＰＵへ渡すか、あるいはその情報で直接電源装置をオフするかを切り替える電源スイッチ（切り替え電源スイッチ９）が設けられたコンピューターが記載されている。切り替え電源スイッチ９を手動で切り替えることにより、コンピューターの用途に応じた電源オフ方式を採用することができる（特許文献１：特許請求の範囲、段落［００３４］、要約参照）。
【先行技術文献】
【特許文献】
【０００４】
【特許文献１】特開平１０−２０７５８６号公報
【発明の概要】
【発明が解決しようとする課題】
【０００５】
複合機、複写機、プリンター、ファクシミリ装置のような画像形成装置には、画像形成装置の電源のＯＮ／ＯＦＦを行うための電源スイッチが設けられる。近年では、ＡＣ電源と商用電源との接続をＯＮ／ＯＦＦするタイプの電源スイッチではなく、基板上のＣＰＵのような制御回路に電源ＯＮ／ＯＦＦの操作（指示）がなされた旨の信号を入力するタイプの電源スイッチが設けられることが多い。
【０００６】
このような画像形成装置では、電源ＯＦＦの操作がなされた旨の信号を受けたとき、制御回路は、保存すると定められたデータの不揮発メモリーへの記憶（退避）を行う。そして、安全に電源ＯＦＦできる状態になると、制御回路は、画像形成装置に内蔵される電源装置から画像形成装置に含まれる各部への電力供給を停止させる。この電源ＯＦＦ方式は安全に画像形成装置の電源をＯＦＦできるというメリットがある。
【０００７】
しかし、ＣＰＵのような電源ＯＦＦを制御する制御回路で異常が発生し、制御回路が処理できない状態（処理が停滞している状態、ロック、フリーズしている状態）では、電源スイッチを操作しても画像形成装置の電源をＯＦＦできないという問題がある。
【０００８】
この状態で画像形成装置の電源をＯＦＦするには、画像形成装置のＡＣ電源を停止させる必要がある。しかし、上述のように、近年では、商用電源とＡＣ電源との接続をＯＮ／ＯＦＦするタイプの電源スイッチが設けられないことも多い。このタイプのスイッチがない画像形成装置では、電源ケーブルをコンセントから抜かなければ電源をＯＦＦできない。しかし、電源コードを抜く作業は、わかりづらく、使用者の混乱を招くおそれもある。
【０００９】
なお、特許文献１記載の技術でも、切り替え電源スイッチ９を操作し、電源断情報をＣＰＵ２に渡す状態でＣＰＵ２に異常が発生したとき、装置の電源をＯＦＦすることができない状態となる。従って、特許文献１記載の技術では、上記問題を解決することはできない。
【００１０】
本発明は、上記従来技術の問題点に鑑みてなされたものであり、電源ＯＦＦを制御するメイン回路に異常があっても、電源スイッチを操作するだけで画像形成装置の電源をＯＦＦできるようにする。
【課題を解決するための手段】
【００１１】
上記課題を解決するため、請求項１に係る画像形成装置は、電源スイッチ信号生成部、論理回路部、メイン処理回路、サブ処理回路、電源回路部、電源制御部を含む。前記電源スイッチ信号生成部は、使用者に操作されるスイッチであって画像形成装置の電源のＯＮ／ＯＦＦを行うためのスイッチである電源スイッチを含み、前記電源スイッチが操作されたときＨｉｇｈレベルとＬｏｗレベルとの間で信号のレベルが変化する電源スイッチ信号を出力する。前記論理回路部は、論理回路を含み、第１制御信号と第２制御信号を生成する。前記メイン処理回路は、前記電源スイッチ信号が入力され、画像形成装置が電源ＯＮ状態で前記電源スイッチが操作されたとき画像形成装置の電源をＯＦＦするための信号を前記論理回路部に入力する。前記サブ処理回路は、前記電源スイッチ信号が入力され、前記メイン処理回路と通信を行い、画像形成装置の一部の動作を制御する。前記電源回路部は、前記メイン処理回路、前記サブ処理回路を含む各負荷に供給する電圧を生成し出力する。前記電源制御部は、前記電源回路部の動作／停止を制御し、入力される前記第１制御信号と前記第２制御信号、それぞれのＨｉｇｈレベルとＬｏｗレベルの組み合わせが、電源ＯＦＦを指示する停止組み合わせのとき、前記電源回路部を停止させて前記負荷への電力供給を停止させる電源ＯＦＦ処理を実行する。前記サブ処理回路は、前記メイン処理回路に代わって前記電源ＯＦＦ処理を前記電源制御部に行わせるためのサブ出力信号を前記論理回路部に入力し、前記電源スイッチ信号に基づき電源ＯＦＦの指示がなされたと認識したときであって、予め定められた代行条件が満たされているとき、前記サブ出力信号のレベルを前記電源ＯＦＦ処理の実行を指示するための電源ＯＦＦ実行レベルに変化させる。前記論理回路部は、前記サブ出力信号が前記電源ＯＦＦ実行レベルに変化したとき、前記停止組み合わせの前記第１制御信号と前記第２制御信号を生成し、前記電源制御部に入力する。
【発明の効果】
【００１２】
本発明によれば、電源ＯＦＦを制御するメイン処理回路に異常があっても、サブ処理回路がメイン処理回路に代わって電源ＯＦＦを指示する信号を論理回路部から電源制御部に入力させることができる。従って、メイン処理回路に異常があっても、従来のように電源ケーブルをコンセントから抜くこと無く、通常どおり、電源スイッチを操作するだけで画像形成装置の電源をＯＦＦすることができる。
【図面の簡単な説明】
【００１３】
【図１】実施形態に係る複合機の一例を示す図である。
【図２】実施形態に係る複合機の電力供給系統の一例を示す図である。
【図３】実施形態に係る複合機の電源ＯＮ／ＯＦＦに関する部分の一例を示す図である。
【図４】実施形態に係る複合機での第１制御信号と第２制御信号の状態と電源制御部の処理の対応関係を示す表である。
【図５】実施形態に係る複合機の電源のＯＦＦ状態で電源スイッチが操作されたときの各信号の状態を説明するための図である。
【図６】実施形態に係る複合機の電源がＯＮ状態で電源スイッチが操作されるまでの各信号の状態を説明するための図である。
【図７】実施形態に係るメイン処理回路の正常状態で電源をＯＦＦするときの処理の流れの一例を示す図である。
【図８】実施形態に係る複合機のメイン処理回路の正常状態で電源をＯＦＦするときの各信号の状態を示す図である。
【図９】実施形態に係るメイン処理回路の異常状態で電源をＯＦＦするときの処理の流れの一例を示す図である。
【図１０】実施形態に係るメイン処理回路の異常状態で電源をＯＦＦするときの各信号の状態を示す図である。
【図１１】変形例での複合機の処理の流れの一例を示す図である。
【発明を実施するための形態】
【００１４】
以下、図１〜図１１を用いて、本発明に係る画像形成装置を説明する。画像形成装置として複合機１００を例に挙げて説明する。但し、本実施の形態に記載されている構成、配置等の各要素は、発明の範囲を限定するものではなく単なる説明例にすぎない。
【００１５】
（画像形成装置の概要）
まず、図１に基づき、実施形態に係る複合機１００を説明する。図１は、実施形態に係る複合機１００の一例を示す図である。
【００１６】
複合機１００は、制御部１と記憶部２を含む。制御部１は、装置全体の動作を統括し複合機１００の各部を制御する。制御部１は、演算、制御を行うメイン処理回路１１、印刷に必要な画像処理を画像データに施す画像処理部１２を含む。メイン処理回路１１は、ＣＰＵのような集積回路である。記憶部２はＲＯＭ、ＲＡＭ、ＨＤＤのような記憶装置を含み、制御用プログラムやデータを記憶する。
【００１７】
又、制御部１は、原稿搬送部３ａ、画像読取部３ｂと通信可能に接続される。原稿搬送部３ａは、セットされた原稿を読み取り位置に向けて搬送する。画像読取部３ｂは、原稿搬送部３ａに搬送される原稿や、原稿台（コンタクトガラス、不図示）にセットされた原稿を読み取り、画像データを生成する。制御部１は、原稿搬送部３ａと画像読取部３ｂの動作を制御する。
【００１８】
制御部１は、操作パネル４と通信可能に接続される。操作パネル４は、パネルＣＰＵ４１（サブ処理回路に相当）、パネルメモリー４２、表示パネル４３、タッチパネル部４４、ハードキー４５を含む。パネルＣＰＵ４１は、表示パネル４３の表示を制御し、タッチパネル部４４の出力に基づき、表示パネル４３に表示されたソフトキーやボタンのような操作画像のうち、操作された操作画像を認識する。また、パネルＣＰＵ４１は、操作されたハードキー４５を認識する。そして、パネルＣＰＵ４１は、操作された操作画像やハードキー４５に応じた画面への切替を表示パネル４３に行わせる。パネルメモリー４２は、表示パネル４３に表示させる画面の画像データを記憶する。
【００１９】
また、パネルＣＰＵ４１は、設定用画面、複合機１００の状態、メッセージのような情報を表示パネル４３に表示させる。パネルＣＰＵ４１は、操作パネル４でなされた設定操作の内容を制御部１に伝える。制御部１は、操作パネル４でなされた使用者の設定どおりに動作するように複合機１００を制御する。
【００２０】
又、複合機１００は、印刷部５を含む。印刷部５は、エンジン制御部５０、給紙部５ａ、搬送部５ｂ、画像形成部５ｃ、定着部５ｄを含む。エンジン制御部５０は、エンジンＣＰＵ５１（サブ処理回路に相当）、エンジンメモリー５２を含む。エンジンメモリー５２は、印刷部５の動作制御に用いるデータ、プログラムを記憶する。そして、エンジン制御部５０と制御部１は通信可能に接続される。制御部１は、印刷指示、印刷ジョブの内容、印刷に用いる画像データをエンジン制御部５０に与える。
【００２１】
エンジン制御部５０は、制御部１の指示を受け、給紙部５ａ、搬送部５ｂ、画像形成部５ｃ、定着部５ｄの動作を制御し、給紙、用紙搬送、トナー像の形成、転写、定着のような印刷関連処理を実際に制御する。具体的に、エンジン制御部５０は、用紙を一枚ずつ給紙部５ａに供給させる。エンジン制御部５０は、供給された用紙を画像形成部５ｃ、定着部５ｄを経て排出トレイ（不図示）まで搬送部５ｂに搬送させる。エンジン制御部５０は、搬送部５ｂより搬送される用紙にのせるトナー像を画像形成部５ｃに形成させ、トナー像を用紙に転写させる。エンジン制御部５０は、用紙に転写されたトナー像を定着部５ｄに定着させる。搬送部５ｂは、印刷済用紙を排出トレイ（不図示）に排出する。
【００２２】
又、複合機１００（制御部１）は、通信部１３を含む。通信部１３は、制御部１内に設けられる。通信部１３は、ＰＣやサーバーのようなコンピューター２００と通信するためのインターフェイスである。通信部１３は、ネットワークを介し、コンピューター２００と通信する。なお、ＵＳＢケーブルを用いるなどして、通信部１３とコンピューター２００は直接的に通信可能に接続されてもよい。通信部１３は、コンピューター２００から画像データのような印刷内容を示すデータと印刷に関する設定を示すデータを含む印刷用データを受信する。制御部１は、印刷用データに基づく印刷を印刷部５に行わせる。
【００２３】
（電力供給系統）
次に、図２を用いて、実施形態に係る複合機１００での電力供給系統の一例を説明する。図２は、実施形態に係る複合機１００の電力供給系統の一例を示す図である。
【００２４】
複合機１００は、一次電源部７ａと電源回路部６を含む。一次電源部７ａは、電源ケーブル（不図示）により商用電源Ｖａｃ（交流電源）と接続される。一次電源部７ａは、交流電圧から直流電圧を生成する。一次電源部７ａは、例えば、モータ駆動用のＤＣ２４Ｖのような予め定められた電圧を生成し出力する。
【００２５】
複数種の電圧が制御部１、記憶部２、操作パネル４、原稿搬送部３ａ、画像読取部３ｂ、印刷部５の動作に必要である。また、メイン処理回路１１、画像処理部１２、パネルＣＰＵ４１、エンジンＣＰＵ５１のようなデバイスでは、動作させるのに複数種の電圧が必要なこともある。そのため、電源回路部６は、一次電源部７ａの生成電圧に基づき、複数種の直流電圧を生成する。言い換えると、電源回路部６は、二次電源である。
【００２６】
負荷７０に供給する複数種の電圧生成のため、電源回路部６は、ＤＣＤＣコンバーターやレギュレーターのような電力変換回路６１を複数含む。それぞれの電力変換回路６１は、所定の大きさの電圧を生成する。
【００２７】
また、電源回路部６は、負荷スイッチ６２を含む。負荷スイッチ６２のＯＮ／ＯＦＦを行うことにより、電力変換回路６１が生成した電圧を負荷７０に供給するか否か制御することができる。ここで、電力変換回路６１から直接、又は、負荷スイッチ６２を介して電力供給を受ける負荷７０には、制御基板（制御部１のメイン処理回路１１、画像処理部１２、通信部１３）、記憶部２のＲＡＭ、ＲＯＭ、ＨＤＤ、パネル基板（操作パネル４のパネルＣＰＵ４１、パネルメモリー４２、表示パネル４３、タッチパネル部４４、ハードキー４５）、原稿搬送基板（原稿搬送部３ａ）、スキャナ基板（画像読取部３ｂ）、印刷部５（エンジン制御部５０のエンジンＣＰＵ５１、エンジンメモリー５２、給紙部５ａ、搬送部５ｂ、画像形成部５ｃ、定着部５ｄ）が含まれる。つまり、電源回路部６は、複合機１００に含まれるそれぞれの基板、回路、素子に電力を供給する。電源回路部６は、負荷７０に含まれる各部分に必要な大きさの電圧を供給する。
【００２８】
また、電力変換回路６１の動作／停止及び負荷スイッチ６２のＯＮ／ＯＦＦを制御する電源制御部７が設けられる。電源制御部７は、電源スイッチ１ａ（詳細後述）への操作により複合機１００の電源をＯＦＦするとき、予め定められた順番でそれぞれの負荷スイッチ６２をＯＦＦして、負荷スイッチ６２を介して電力供給を受ける負荷７０への電力供給を停止する。また、電源制御部７は、複合機１００の電源をＯＦＦするとき、予め定められた順番でそれぞれの電力変換回路６１を停止させ、それぞれの電力変換回路６１から電力供給を受ける負荷７０への電力供給を停止する。
【００２９】
（複合機１００の電源のＯＮ／ＯＦＦ）
次に、図３、図４を用いて、実施形態に係る複合機１００での電源のＯＮ／ＯＦＦを説明する。図３は、実施形態に係る複合機１００での電源のＯＮ／ＯＦＦに関する部分の一例を示す図である。図４は、実施形態に係る複合機１００での第１制御信号Ｓ１と第２制御信号Ｓ２の状態と電源制御部７の処理の対応関係を示す表である。
【００３０】
図３に示すように、複合機１００は、電源スイッチ信号生成部８、論理回路部９、メイン処理回路１１、サブ処理回路１４、電源回路部６、電源制御部７を含む。
【００３１】
電源スイッチ信号生成部８は、電源スイッチ１ａを含む。電源スイッチ１ａは、画像形成装置の電源のＯＮ／ＯＦＦを行うため、使用者に操作されるスイッチである。例えば、電源スイッチ１ａは、操作パネル４に設けられる。電源スイッチ信号生成部８は、電源スイッチ１ａが操作されたときＨｉｇｈレベルとＬｏｗレベルとの間で信号のレベルが変化する電源スイッチ信号Ｓ３を出力する。
【００３２】
また、電源スイッチ信号生成部８は、スイッチ用電源Ｖ１、第１抵抗Ｒ１、第１否定回路８１を含む。第１抵抗Ｒ１の一端は、スイッチ用電源Ｖ１に接続される。第１抵抗Ｒ１の他端は、第１否定回路８１の入力端子に接続される。第１抵抗Ｒ１の他端と第１否定回路８１の入力端子の間に設けられた第１接続点に電源スイッチ１ａの一端が接続される。電源スイッチ１ａの他端は、グランドに接続される。そして、第１否定回路８１の出力が、電源スイッチ信号Ｓ３として電源スイッチ信号生成部８から出力される。
【００３３】
具体的に、図３の電源スイッチ１ａは、押すと接点が導通するタイプである。従って、電源スイッチ１ａが操作されたとき（導通状態となったとき）、第１否定回路８１の入力端子はグランドに接続された状態となる。従って、電源スイッチ信号Ｓ３は、電源スイッチ１ａが操作されている間、Ｈｉｇｈレベルとなる。電源スイッチ１ａが操作されていない間、電源スイッチ信号Ｓ３は、Ｌｏｗレベルとなる。
【００３４】
電源スイッチ信号Ｓ３は、メイン処理回路１１に入力される。また、電源スイッチ信号Ｓ３は、サブ処理回路１４にも入力される。サブ処理回路１４には、画像形成装置の一部の動作を制御するＣＰＵを用いることができる。本実施形態の複合機１００では、エンジンＣＰＵ５１とパネルＣＰＵ４１をサブ処理回路１４として用いる。そこで、以下の説明では、エンジンＣＰＵ５１及びパネルＣＰＵ４１をサブ処理回路１４と総称する。なお、エンジンＣＰＵ５１とパネルＣＰＵ４１の一方のみをサブ処理回路１４としてもよい。
【００３５】
メイン処理回路１１は、複合機１００の電源のＯＮ／ＯＦＦを制御するための信号として第１メイン出力信号Ｓ４と第２メイン出力信号Ｓ５を出力し、論理回路部９に入力する。一方、サブ処理回路１４は、サブ出力信号Ｓ６を出力し、論理回路部９に入力する。
【００３６】
論理回路部９は、論理回路を含み、第１制御信号Ｓ１と第２制御信号Ｓ２を生成する。論理回路部９は、第１制御信号Ｓ１を生成する第１制御信号生成部９１と、第２制御信号Ｓ２を生成する第２制御信号生成部９２を含む。
【００３７】
第１制御信号生成部９１は、第２抵抗Ｒ２と第１論理和回路９３を含む。第２抵抗Ｒ２の一端は、サブ処理回路１４のサブ出力信号Ｓ６の信号線に接続され、他端がグランドに接続される。第１論理和回路９３の一方の入力端子にはサブ出力信号Ｓ６が、他方の入力端子には第１メイン出力信号Ｓ４が入力される。第１論理和回路９３は、サブ出力信号Ｓ６と第１メイン出力信号Ｓ４の論理和を第１制御信号Ｓ１として出力する。
【００３８】
第２制御信号生成部９２は、第３抵抗Ｒ３と第２論理和回路９４と第２否定回路９５と論理積回路９６を含む。第３抵抗Ｒ３の一端は、メイン処理回路１１のメイン出力信号Ｓ５の信号線に接続され、他端はグランドに接続される。第２論理和回路９４の入力端子のうち、第２メイン出力信号Ｓ５が一方の入力端子に入力され、電源スイッチ信号Ｓ３が他方の入力端子に入力される。第２論理和回路９４は、第２メイン出力信号Ｓ５と電源スイッチ信号Ｓ３の論理和を出力する。
【００３９】
第２否定回路９５の入力端子には、サブ出力信号Ｓ６が入力される。第２否定回路９５は、サブ出力信号Ｓ６の否定を出力する。論理積回路９６の一方の入力端子に第２否定回路９５の出力が接続される。また、論理積回路９６の他方の入力端子に第２論理和回路９４の出力が入力される。論理積回路９６は、サブ出力信号Ｓ６の否定と第２論理和回路９４の出力の論理積を第２制御信号Ｓ２として出力する。
【００４０】
論理回路部９から出力される第１制御信号Ｓ１と第２制御信号Ｓ２は、電源制御部７に入力される。電源制御部７は、入力される第１制御信号Ｓ１と第２制御信号Ｓ２、それぞれのＨｉｇｈレベルとＬｏｗレベルの組み合わせに応じて電源回路部６を制御する。本実施形態の複合機１００での第１制御信号Ｓ１と第２制御信号Ｓ２の状態と電源制御部７の処理の対応関係を図４に示す。
【００４１】
（電源ＯＮ時の処理）
次に、図４、図５を用いて、実施形態に係る複合機１００での電源ＯＮ時の処理の一例を説明する。図５は、実施形態に係る複合機１００の電源のＯＦＦ状態で電源スイッチ１ａが操作されたときの各信号の状態を説明するための図である。
【００４２】
なお、前提として、本実施形態の複合機１００では、電源ケーブルが商用電源Ｖａｃに接続されている状態であるとき、複合機１００の電源がＯＮ状態であるか、ＯＦＦ状態であるかを問わず、一次電源部７ａは動作している。複合機１００の電源がＯＦＦ状態でも、電源スイッチ１ａへの操作を検知し、電源制御部７に各制御信号を入力するため、一次電源部７ａが生成した電圧に基づく電圧が、スイッチ用電源Ｖ１及び論理回路部９に含まれる各論理回路に印加されている。そして、電源スイッチ１ａが操作されていない状態では、スイッチ用電源Ｖ１の電圧が第１否定回路８１に入力される。そのため、電源スイッチ１ａが操作されていない状態では、電源スイッチ信号Ｓ３は、Ｌｏｗレベルである。
【００４３】
複合機１００の電源がＯＦＦされている状態で電源スイッチ１ａが操作されたとき、第１否定回路８１の入力端子がグランドに接続される。その結果、電源スイッチ信号Ｓ３は、Ｈｉｇｈレベルとなる。
【００４４】
電源ＯＦＦ状態では、電源回路部６（電力変換回路６１、負荷スイッチ６２）は動作していない。そのため、メイン処理回路１１には電力供給がされず、メイン処理回路１１は動作していない。その結果、電源ＯＦＦ状態で電源スイッチ１ａが操作された時点では、メイン処理回路１１の第１メイン出力信号Ｓ４と第２メイン出力信号Ｓ５は両方ともＬｏｗレベルである。また、同様の理由により、サブ処理回路１４のサブ出力信号Ｓ６もＬｏｗレベルのままである。従って、第１制御信号生成部９１（第１論理和回路９３）は、Ｌｏｗレベルの第１制御信号Ｓ１を出力する（図５参照）。
【００４５】
一方、第２制御信号生成部９２については、第２メイン出力信号Ｓ５はＬｏｗレベルであるが、電源スイッチ信号Ｓ３がＨｉｇｈレベルとなるので、第２論理和回路９４の出力はＨｉｇｈレベルとなる。また、サブ出力信号Ｓ６はＬｏｗレベルであるので、第２否定回路９５は、Ｈｉｇｈレベルを出力する。その結果、論理積回路９６の２つの入力端子の両方にＨｉｇｈレベルが入力される。従って、第２制御信号生成部９２（論理積回路９６）は、Ｈｉｇｈレベルの第１制御信号Ｓ１を出力する（図５参照）。
【００４６】
図４に示すように、電源ＯＮを示す開始組み合わせは、第１制御信号Ｓ１がＬｏｗレベルであり、第２制御信号Ｓ２がＨｉｇｈレベルの組み合わせである。そのため、複合機１００の電源がＯＦＦされている状態で電源スイッチ１ａが操作され、第１制御信号Ｓ１がＬｏｗレベル、第２制御信号Ｓ２がＨｉｇｈレベルとなった時点で、電源制御部７は、電源ＯＮの指示がなされたと認識する。その結果、電源制御部７は、予め定められた順番でそれぞれの電力変換回路６１の動作を開始させ、予め定められた順番でそれぞれの負荷スイッチ６２をＯＮ状態とする電源ＯＮ処理を実行する。これにより、メイン処理回路１１、エンジンＣＰＵ５１、パネルＣＰＵ４１のような複合機１００の各部に電力供給が開始され、複合機１００が起動し、電源ＯＮ状態となる。
【００４７】
（電源ＯＮ状態から電源スイッチ１ａの操作まで）
次に、図４、図６を用いて、実施形態に係る複合機１００での電源ＯＮ状態から電源スイッチ１ａが操作されるまでを説明する。図６は、実施形態に係る複合機１００の電源がＯＮ状態で電源スイッチ１ａが操作されるまでの各信号の状態を説明するための図である。
【００４８】
電力供給が開始され、起動すると、メイン処理回路１１は、第１メイン出力信号Ｓ４と第２メイン出力信号Ｓ５の両方をＨｉｇｈレベルとする。第１メイン出力信号Ｓ４がＨｉｇｈレベルになると、第１論理和回路９３の一方の入力端子にＨｉｇｈレベルが入力されることになる。従って、第１制御信号生成部９１は、Ｈｉｇｈレベルの第１制御信号Ｓ１を出力する（図６参照）。なお、電力供給が開始され、起動しても、サブ処理回路１４は、サブ出力信号Ｓ６をＬｏｗレベルで保つ。
【００４９】
一方、第２制御信号生成部９２については、第２メイン出力信号Ｓ５はＨｉｇｈレベルなので第２論理和回路９４の出力はＨｉｇｈレベルとなる。また、サブ出力信号Ｓ６はＬｏｗレベルであるので、第２否定回路９５はＨｉｇｈレベルを出力する。その結果、論理積回路９６の両方の入力端子にＨｉｇｈレベルが入力される。従って、第２制御信号生成部９２は、Ｈｉｇｈレベルの第１制御信号Ｓ１を出力する（図５参照）。
【００５０】
図４に示すように、第１制御信号Ｓ１がＨｉｇｈレベル、第２制御信号Ｓ２がＨｉｇｈレベルの組み合わせは、状態を維持する組み合わせである。そのため、複合機１００の電源がＯＮされている状態で電源スイッチ１ａが操作されるまで、電源制御部７は、電力変換回路６１を動作させ、負荷スイッチ６２をＯＮ状態とする電源ＯＮ状態を維持する。
【００５１】
（メイン処理回路１１が正常状態の場合の電源ＯＦＦ時の処理）
次に、図４、図７、図８を用いて、実施形態に係るメイン処理回路１１が正常状態の場合の電源ＯＦＦ時の処理を説明する。図７は、実施形態に係るメイン処理回路１１の正常状態で電源をＯＦＦするときの処理の流れの一例を示す図である。図８は、実施形態に係る複合機１００のメイン処理回路１１の正常状態で電源をＯＦＦするときの各信号の状態を示す図である。
【００５２】
図７のスタートは、複合機１００の電源がＯＮ状態かつメイン処理回路１１が正常である状態で電源スイッチ１ａが操作された時点である。そして、電源スイッチ信号Ｓ３に基づき、メイン処理回路１１は、電源スイッチ信号Ｓ３のＬｏｗレベルからＨｉｇｈレベルへの変化（電源ＯＦＦの指示）を認識する（ステップ♯１１）。なお、電源スイッチ１ａから指が離されたとき、電源スイッチ信号Ｓ３は、ＨｉｇｈレベルからＬｏｗレベルに戻る。
【００５３】
電源ＯＦＦの指示により、制御部１（メイン処理回路１１、画像処理部１２）、記憶部２、操作パネル４（パネルＣＰＵ４１）、原稿搬送部３ａ、画像読取部３ｂ、エンジン制御部５０（エンジンＣＰＵ５１）がシャットダウン準備処理を行う（ステップ♯１２）。例えば、保護すべきデータを、記憶部２に含まれるハードディスクドライブに保存する処理がシャットダウン準備処理として行われる。メイン処理回路１１、パネルＣＰＵ４１、エンジンＣＰＵ５１の内部のレジスタやキャッシュメモリーに記憶されたデータ、記憶部２の揮発性メモリーに記憶されたデータ、原稿搬送部３ａ、画像読取部３ｂに記憶された揮発性データのようなデータが保護すべきデータとされる。また、記憶部２のハードディスクドライブの磁気ヘッド待避のような複合機１００に含まれるデバイスの待避処理もシャットダウン準備処理として行われる。
【００５４】
ここで、メイン処理回路１１は、第１メイン出力信号Ｓ４をＨｉｇｈレベルで維持する（ステップ♯１３）。ステップ♯１３の結果、第１論理和回路９３の一方の入力端子にＨｉｇｈレベルが入力される。その結果、第１制御信号生成部９１（第１論理和回路９３）は、Ｈｉｇｈレベルの第１制御信号Ｓ１を出力する（ステップ♯１４、図８参照）。
【００５５】
また、シャットダウン準備処理の完了後、メイン処理回路１１は、第２メイン出力信号Ｓ５をＬｏｗレベルとする（ステップ♯１５）。いずれかの時点で電源スイッチ１ａから指が離されること及びステップ♯１５の結果、第２論理和回路９４の両方の入力端子にＬｏｗレベルが入力される。そのため、論理積回路９６の出力は、Ｌｏｗレベルとなる。その結果、第２制御信号生成部９２（論理積回路９６）は、Ｌｏｗレベルの第２制御信号Ｓ２を出力する（ステップ♯１６、図８参照）。
【００５６】
図４に示すように、電源ＯＦＦを示す停止組み合わせは、第１制御信号Ｓ１がＨｉｇｈレベルであり、第２制御信号Ｓ２がＬｏｗレベルの組み合わせである。そのため、複合機１００の電源がＯＮされている状態で電源スイッチ１ａが操作されたとき、停止組み合わせの第１制御信号Ｓ１と第２制御信号Ｓ２が電源制御部７に入力される（ステップ♯１７）。
【００５７】
ステップ♯１７に基づき、電源制御部７は、電力変換回路６１の停止及び負荷スイッチ６２をＯＦＦする電源ＯＦＦ処理を実行する（ステップ♯１８→エンド）。電力変換回路６１の停止及び負荷スイッチ６２をＯＦＦが完了したとき、電源ＯＦＦ状態への移行が完了する。
【００５８】
（メイン処理回路１１が異常状態の場合の電源ＯＦＦ時の処理）
次に、図４、図９、図１０を用いて、実施形態に係るメイン処理回路１１が異常状態の場合の電源ＯＦＦ時の処理の流れの一例を説明する。図９は、実施形態に係るメイン処理回路１１の異常状態で電源をＯＦＦするときの処理の流れの一例を示す図である。図１０は、実施形態に係るメイン処理回路１１の異常状態で電源をＯＦＦするときの各信号の状態を示す図である。
【００５９】
ノイズやエラーによってメイン処理回路１１が処理停止状態（ロック、フリーズ）となることがある。従来、電源のＯＮ／ＯＦＦを制御する制御回路が１つであり、その制御回路が停止したとき、画像形成装置の電源をＯＦＦするには、コンセントから電源コードを抜くといったような電源スイッチ１ａを押す以外の別の処置をとる必要があった。このような別の措置をとることは、使用者にとって煩わしい。しかも、使用者が電源ＯＦＦに別の処置が必要と知らない場合もある。そのため、使用者を混乱させることがあった。また、大きな故障が生じたと誤解されることもある。
【００６０】
そこで、本実施形態の複合機１００では、メイン処理回路１１が異常状態であるとき、エンジンＣＰＵ５１やパネルＣＰＵ４１のようなサブ処理回路１４が、メイン処理回路１１の異常の有無を判定する。ここで、異常があると判定したとき、電源ＯＦＦを指示する信号の電源制御部７への入力を代行する。そこで、サブ処理回路１４の処理を図９、図１０を用いて説明する。
【００６１】
複合機１００の電源がＯＮ後から図９のフローチャートが開始される。サブ処理回路１４はメイン処理回路１１が異常状態であるか否かを判定する（ステップ♯２１）。サブ処理回路１４は、メイン処理回路１１と通信ができないとき（要求に対するメイン処理回路１１からの正しい応答がないとき）、メイン処理回路１１は異常状態であると判定する。サブ処理回路１４は、メイン処理回路１１と通信可能なとき（要求に対する正しい応答がメイン処理回路１１からあるとき）、メイン処理回路１１は正常状態であると判定する。
【００６２】
サブ処理回路１４が正常状態と判定したとき（ステップ♯２１のＮｏ）、フローは、ステップ♯２１に戻る。このように、サブ処理回路１４は、一定の周期でメイン処理回路１１が正常であるか否かを確認する。
【００６３】
メイン処理回路１１が異常状態であるとサブ処理回路１４が判定したとき（ステップ♯２１のＹｅｓ）、サブ処理回路１４は、代行条件が充足されたと判定する（ステップ♯２２）。続いて、サブ処理回路１４は、エラー発生のメッセージを表示パネル４３に表示させる（ステップ♯２３）。このとき、サブ処理回路１４は、電源スイッチ１ａの操作により電源を強制的にＯＦＦできる旨のメッセージをあわせて表示パネル４３に表示させる（ステップ♯２４）。そして、サブ処理回路１４は、電源スイッチ信号Ｓ３を監視し、電源ＯＦＦの指示がなされたか（電源スイッチ１ａが操作されたか）の確認を続ける（ステップ♯２５、ステップ♯２５のＮｏ→ステップ♯２５）。
【００６４】
電源スイッチ１ａが操作されたとき（ステップ♯２５のＹｅｓ）、サブ処理回路１４は、サブ出力信号Ｓ６をＬｏｗレベルからＨｉｇｈレベル（電源ＯＦＦ実行レベル）に変化させる（ステップ♯２６）。メイン処理回路１１の異常状態では、第１メイン出力信号Ｓ４は、ＨｉｇｈレベルかＬｏｗレベルか不定である（図１０参照）。しかし、サブ処理回路１４は、サブ出力信号Ｓ６をＨｉｇｈレベルとするので、第１論理和回路９３の一方の入力端子にＨｉｇｈレベルが入力される。その結果、第１メイン出力信号Ｓ４のレベルを問わず、第１制御信号生成部９１（第１論理和回路９３）は、Ｈｉｇｈレベルの第１制御信号Ｓ１を出力する（ステップ♯２７、図１０参照）。
【００６５】
サブ出力信号Ｓ６がＨｉｇｈレベルとなることにより、サブ出力信号Ｓ６が入力される第２制御信号生成部９２の第２否定回路９５の出力信号は、Ｌｏｗレベルとなる（ステップ♯２８、図１０参照）。その結果、第２制御信号生成部９２の論理積回路９６の一方の入力端子にＬｏｗレベルが入力される。
【００６６】
メイン処理回路１１の異常状態では、論理積回路９６に入力される第２メイン出力信号Ｓ５がＨｉｇｈレベルかＬｏｗレベルか不定である（図１０参照）。しかし、論理積回路９６の一方の入力端子には、第２否定回路９５により、確実にＬｏｗレベルが入力される。その結果、第２メイン出力信号Ｓ５のレベルを問わず、第２制御信号生成部９２（論理積回路９６）は、Ｌｏｗレベルの第２制御信号Ｓ２を出力する（ステップ♯２９、図１０参照）。
【００６７】
図４に示すように、第１制御信号Ｓ１がＨｉｇｈレベル、第２制御信号Ｓ２がＬｏｗレベルの組み合わせは、停止組み合わせ（電源ＯＦＦを指示する予め定められた組み合わせ）である。そのため、複合機１００の電源がＯＮされている状態で、サブ処理回路１４が電源スイッチ信号Ｓ３に基づき電源ＯＦＦの指示がなされたと認識したときであって、予め定められた代行条件が満たされているとき、停止組み合わせの第１制御信号Ｓ１と第２制御信号Ｓ２が電源制御部７に入力される（ステップ♯２１０）。言い換えると、サブ処理回路１４からのサブ出力信号Ｓ６に基づき、論理回路部９は、停止組み合わせの第１制御信号Ｓ１と第２制御信号Ｓ２を生成し、電源制御部７に入力する。
【００６８】
ステップ♯２１０の結果、電源制御部７は、電源ＯＦＦの指示がなされたと認識する。そして、電源制御部７は、電源回路部６の電源ＯＦＦ処理を実行する（ステップ♯２１１→エンド）。電力変換回路６１の停止及び負荷スイッチ６２のＯＦＦが完了したとき、電源ＯＦＦ状態への移行が完了する。このように、メイン処理回路１１に代わってサブ処理回路１４が複合機１００の電源をＯＦＦすることができる。
【００６９】
このようにして、実施形態に係る画像形成装置（複合機１００）は、電源スイッチ信号生成部８、論理回路部９、メイン処理回路１１、サブ処理回路１４（エンジンＣＰＵ５１、パネルＣＰＵ４１）、電源回路部６、電源制御部７を含む。電源スイッチ信号生成部８は、使用者に操作されるスイッチであって画像形成装置の電源のＯＮ／ＯＦＦを行うためのスイッチである電源スイッチ１ａを含み、電源スイッチ１ａが操作されたときＨｉｇｈレベルとＬｏｗレベルとの間で信号のレベルが変化する電源スイッチ信号Ｓ３を出力する。論理回路部９は、論理回路を含み、第１制御信号Ｓ１と第２制御信号Ｓ２を生成する。メイン処理回路１１は、電源スイッチ信号Ｓ３が入力されている。そして、メイン処理回路１１は、画像形成装置が電源ＯＮ状態で電源スイッチ１ａが操作されたとき画像形成装置の電源をＯＦＦするための信号を論理回路部９に入力する。サブ処理回路１４は、電源スイッチ信号Ｓ３が入力されている。そして、サブ処理回路１４は、メイン処理回路１１と通信を行い、画像形成装置の一部の動作を制御する。電源回路部６は、メイン処理回路１１、サブ処理回路１４を含む各負荷７０に供給する電圧を生成し出力する。電源制御部７は、電源回路部６の動作／停止を制御し、入力される第１制御信号Ｓ１と第２制御信号Ｓ２、それぞれのＨｉｇｈレベルとＬｏｗレベルの組み合わせが、電源ＯＦＦを指示する停止組み合わせのとき、電源回路部６を停止させて負荷７０への電力供給を停止させる電源ＯＦＦ処理を実行する。サブ処理回路１４は、メイン処理回路１１に代わって電源ＯＦＦ処理を電源制御部７に行わせるためのサブ出力信号Ｓ６を論理回路部９に入力し、電源スイッチ信号Ｓ３に基づき電源ＯＦＦの指示がなされたと認識したときであって、予め定められた代行条件が満たされているとき、サブ出力信号Ｓ６のレベルを電源ＯＦＦ処理の実行を指示するための電源ＯＦＦ実行レベルに変化させる。論理回路部９は、サブ出力信号Ｓ６が電源ＯＦＦ実行レベルに変化したとき、停止組み合わせの第１制御信号Ｓ１と第２制御信号Ｓ２を生成し、電源制御部７に入力する。
【００７０】
これにより、メイン処理回路１１が異常状態であって、電源制御部７に電源ＯＦＦの指示を与えることができない状態でも、サブ処理回路１４（エンジンＣＰＵ５１、パネルＣＰＵ４１）からのサブ出力信号Ｓ６により画像形成装置の電源をＯＦＦすることができる。従来のように、メイン処理回路１１が異常状態のときコンセントから電源ケーブルを抜いて画像形成装置の電源をＯＦＦする必要がなく、電源スイッチ１ａを操作するだけで画像形成装置の電源をＯＦＦすることができる。また、電源スイッチ１ａを操作すれば、確実に画像形成装置の電源をＯＦＦすることができるので使用者に混乱を招くこともない。
【００７１】
また、サブ処理回路１４は、メイン処理回路１１と通信を行い、メイン処理回路１１が異常状態であるか否かを判定し、異常状態であると判定したとき、代行条件が満たされたと判定する。これにより、サブ処理回路１４は、メイン処理回路１１が異常状態のとき、画像形成装置の電源ＯＦＦするためのサブ出力信号Ｓ６を論理回路部９に入力する。従って、メイン処理回路１１が異常でロックしている状態でも、メイン処理回路１１に代わってサブ処理回路１４に画像形成装置の電源をＯＦＦさせることができる。
【００７２】
また、画像形成装置は、表示を行う表示パネル４３を含む。メイン処理回路１１が異常状態であると判定したとき、サブ処理回路１４は、エラー発生と電源スイッチ１ａの操作により電源をＯＦＦできる旨のメッセージを表示パネル４３に表示させる。これにより、メイン処理回路１１を再起動するためのリセット的な画像形成装置の電源のＯＦＦ／ＯＮを使用者に促すことができ、メイン処理回路１１を再起動することができる。
【００７３】
また、電源スイッチ信号生成部８は、使用者が電源スイッチ１ａを操作していない間はＬｏｗレベルであり、電源スイッチ１ａを操作している間はＨｉｇｈレベルの電源スイッチ信号Ｓ３を出力する。メイン処理回路１１は、電源スイッチ信号Ｓ３に基づき電源ＯＦＦの指示がなされたと認識したとき、Ｈｉｇｈレベルの第１メイン出力信号Ｓ４とＬｏｗレベルの第２メイン出力信号Ｓ５を出力する。また、サブ処理回路１４は、電源スイッチ信号Ｓ３に基づき電源ＯＦＦの指示がなされたと認識したときであって、予め定められた代行条件が満たされているとき、サブ出力信号Ｓ６をＬｏｗレベルから電源ＯＦＦ実行レベルであるＨｉｇｈレベルに変化させる。論理回路部９は、第１制御信号Ｓ１を生成する第１制御信号生成部９１と、第２制御信号Ｓ２を生成する第２制御信号生成部９２を含む。第１制御信号生成部９１は、サブ出力信号Ｓ６と第１メイン出力信号Ｓ４の論理和を第１制御信号Ｓ１として出力する第１論理和回路９３を含む。第２制御信号生成部９２は、電源スイッチ信号Ｓ３と第２メイン出力信号Ｓ５の論理和を出力する第２論理和回路９４と、サブ出力信号Ｓ６の否定を出力する第２否定回路９５と、第２論理和回路９４の出力と第２否定回路９５の出力の論理積を第２制御信号Ｓ２として出力する論理積回路９６を含む。停止組み合わせは、第１制御信号Ｓ１がＨｉｇｈレベル、第２制御信号Ｓ２がＬｏｗレベルである。
【００７４】
これにより、メイン処理回路１１が正常状態のときには、メイン処理回路１１が出力する第１メイン出力信号Ｓ４と第２メイン出力信号Ｓ５により電源制御部７に電源ＯＦＦを指示する信号（停止組み合わせの信号）が入力される。また、メイン処理回路１１が異常状態であっても、サブ処理回路１４からのＨｉｇｈレベルのサブ出力信号Ｓ６により、電源制御部７に電源ＯＦＦを指示する信号（停止組み合わせの信号）を入力することができる。従って、メイン処理回路１１の異常の有無を問わず、電源スイッチ１ａを操作するだけで画像形成装置の電源をＯＦＦすることができる。
【００７５】
また、第１制御信号Ｓ１がＬｏｗレベル、第２制御信号Ｓ２がＨｉｇｈレベルの組み合わせは電源ＯＮを示す開始組み合わせである（図４参照）。画像形成装置の電源がＯＦＦの状態で電源スイッチ１ａが操作されたとき、第１制御信号生成部９１は、Ｌｏｗレベルの第１制御信号Ｓ１を出力し、第２制御信号生成部９２は、Ｈｉｇｈレベルの第２制御信号Ｓ２を出力する。第１制御信号Ｓ１と第２制御信号Ｓ２の組み合わせが開始組み合わせとなり、電源制御部７は、電源回路部６を動作させて負荷７０への電力供給を行わせる電源ＯＮ処理を実行する。また、メイン処理回路１１は、画像形成装置の電源ＯＮ状態では、第１メイン出力信号Ｓ４と第２メイン出力信号Ｓ５をＨｉｇｈレベルとする。第１制御信号Ｓ１と第２制御信号Ｓ２が何れもＨｉｇｈレベルのとき、及び、第１制御信号Ｓ１と第２制御信号Ｓ２が何れもＬｏｗレベルのとき、電源制御部７は、電源回路部６の状態を維持する。
【００７６】
これにより、メイン処理回路１１の状態によらず、画像形成装置が電源ＯＮ状態のとき、電源スイッチ１ａを操作することで画像形成装置の電源をＯＦＦすることができる。
【００７７】
（変形例）
次に、図１１を用いて、変形例を説明する。図１１は、変形例での複合機１００の処理の流れの一例を示す図である。
【００７８】
上記の実施形態では、メイン処理回路１１が異常状態であるか否か、サブ処理回路１４が判定する例を説明した。また、サブ処理回路１４は、異常状態であることにより代行条件が満たされたと判定し、サブ出力信号Ｓ６をＬｏｗレベルからＨｉｇｈレベルに変化させ、停止組み合わせの第１制御信号Ｓ１と第２制御信号Ｓ２を電源制御部７に入力する例を説明した。
【００７９】
しかし、サブ処理回路１４は、メイン処理回路１１の異常状態の検知以外の事項により代行条件が満たされたと判定してもよい。例えば、電源スイッチ１ａを予め定められた手法で操作する特定操作がなされたとき、代行条件が満たされたと判定してもよい。この点以外については、上述した実施形態に係る画像形成装置と同様である。
【００８０】
以下、図１１のフローチャートを用いて、変形例を説明する。複合機１００の電源がＯＮ状態になると、図１１のフローチャートが開始される。
【００８１】
まず、サブ処理回路１４は、電源スイッチ１ａを予め定められた手法で操作する特定操作がなされたか否かの確認を続ける（ステップ♯３１、ステップ♯３１のＮｏ→ステップ♯３１）。特定操作は、メイン処理回路１１の異常によって複合機１００がロックしているとき、複合機１００の電源をＯＦＦするための電源スイッチ１ａの操作として予め定められている操作である。言い換えると、特定操作はサブ処理回路１４にメイン処理回路１１が異常であることを知らせ、サブ処理回路１４に電源ＯＦＦ処理を代行させるための操作といえる。
【００８２】
上述のように、電源スイッチ１ａが操作されたとき、電源スイッチ信号Ｓ３は、Ｈｉｇｈレベルとなる（図１０参照）。また、電源スイッチ１ａを押す状態を止めると、電源スイッチ信号Ｓ３はＬｏｗレベルとなる。電源スイッチ信号Ｓ３は、サブ処理回路１４にも入力される。サブ処理回路１４は、電源スイッチ信号Ｓ３の波形に基づき、電源スイッチ１ａへの特定操作がなされたか否かを確認する。
【００８３】
どのような操作を特定操作とするかは、適宜定めることができる。本実施形態の複合機１００では、電源スイッチ１ａを予め定められた時間続けて押す操作（長押し操作）が特定操作とされる。長押しとみなす時間（予め定められた時間）は、１秒〜数秒とされる。サブ処理回路１４は、電源スイッチ信号Ｓ３がＨｉｇｈレベルである期間を確認する。サブ処理回路１４は、電源スイッチ信号Ｓ３のＨｉｇｈレベル期間が予め定められた時間を超えたことを認識したとき、特定操作がなされたと判定する。
【００８４】
また、本実施形態の複合機１００では、予め定められた単位時間内に予め定められた回数を超えて電源スイッチ１ａを押す操作（連打する操作）が特定操作とされる。予め定められた単位時間は、数秒程度とされる。予め定められた回数は、２〜５回程度とすればよい（６回以上でもよい）。サブ処理回路１４は、単位時間内の電源スイッチ信号Ｓ３の立ち上がり又は立ち下がりエッジの個数を確認する。サブ処理回路１４は、単位時間内のエッジの個数が予め定められた回数を超えているとき、特定操作がなされたと判定する。
【００８５】
特定操作がなされたとき（ステップ♯３１のＹｅｓ）、サブ処理回路１４は予め定められた代行条件が満たされたと判定する（ステップ♯３２）。そして、フローはステップ♯３３に移行する。図１１に示すステップ♯３３〜３８は、図９で説明したステップ♯２６〜ステップ♯２１１と同じである。そこで、図９での説明、記載を援用するものとして、説明を省略する。
【００８６】
このようにして、変形例に係る画像形成装置のサブ処理回路１４は、電源スイッチ信号Ｓ３に基づき電源スイッチ１ａを予め定められた時間続けて押す操作がなされたと認識したとき、又は、電源スイッチ信号Ｓ３に基づき予め定められた単位時間内に予め定められた回数を超えて電源スイッチ１ａが操作されたと認識したとき、代行条件が満たされたと判定する。使用者は、メイン処理回路１１がロックしているときに行うべき操作として予め定められた操作を行うだけで、画像形成装置の電源を簡単にＯＦＦすることができる。
【００８７】
本発明の範囲は実施形態の説明に限定されるものではなく、発明の主旨を逸脱しない範囲で種々の変更を加えて実施することができる。
【産業上の利用可能性】
【００８８】
本発明は、電源スイッチと、複数の処理回路を含む画像形成装置に利用可能である。
【符号の説明】
【００８９】
１００  複合機（画像形成装置）          １ａ    電源スイッチ
１１    メイン処理回路                  １４    サブ処理回路
４１    パネルＣＰＵ（サブ処理回路）    ４３    表示パネル
５１    エンジンＣＰＵ（サブ処理回路）  ６      電源回路部
７０    負荷                            ７      電源制御部
８      電源スイッチ信号生成部          ９      論理回路部
９１    第１制御信号生成部              ９２    第２制御信号生成部
９３    第１論理和回路                  ９４    第２論理和回路
９５    第２否定回路                    ９６    論理積回路
Ｓ１    第１制御信号                    Ｓ２    第２制御信号
Ｓ３    電源スイッチ信号                Ｓ４    第１メイン出力信号
Ｓ５    第２メイン出力信号              Ｓ６    サブ出力信号
【図１】
2017124558.tif 000003
【図２】
2017124558.tif 000004
【図３】
2017124558.tif 000005
【図４】
2017124558.tif 000006
【図５】
2017124558.tif 000007
【図６】
2017124558.tif 000008
【図７】
2017124558.tif 000009
【図８】
2017124558.tif 000010
【図９】
2017124558.tif 000011
【図１０】
2017124558.tif 000012
【図１１】
2017124558.tif 000013